(57)【要約】【課題】樹脂フィルムと未加硫ゴムシートとのシート状積層体を成型ドラムに容易かつ適正に巻付けることのできる空気入りタイヤの製造方法を提供する。【解決手段】シート状積層体１を成型ドラム１１まで搬送し、搬送されたシート状積層体１を成型ドラム１１の外周面に保持させながら、樹脂フィルム３が内側となる姿勢で巻付ける工程を含む空気入りタイヤの製造方法において、樹脂フィルム３を未加硫ゴムシート２の表面に貼り付ける際に、搬送方向Ａにみて、樹脂フィルム３の先行端縁４を未加硫ゴムシート２の先行端縁５よりも搬送方向Ａの下流側に突出させて樹脂フィルム突出部８を形成し、この樹脂フィルム突出部８を成型ドラム１１の外周面に先行して保持させてシート状積層体１を成型ドラム１１の外周面に巻付ける。【選択図】図２
2011046073.tif 000002
【特許請求の範囲】
【請求項１】
未加硫ゴムシートとガスバリア性の樹脂フィルムとを積層してなるシート状積層体を成型ドラムまで搬送し、搬送されたシート状積層体を成型ドラムの外周面に保持させながら、樹脂フィルムが内側となる姿勢で巻付ける工程を含む空気入りタイヤの製造方法において、
前記樹脂フィルムを未加硫ゴムシートの表面に貼り付ける際に、搬送方向にみて、前記樹脂フィルムの先行端縁を未加硫ゴムシートの先行端縁よりも搬送方向の下流側に突出させて樹脂フィルム突出部を形成し、
前記樹脂フィルム突出部を成型ドラムの外周面に先行して保持させて前記シート状積層体を成型ドラムの外周面に巻付けることを特徴とする空気入りタイヤの製造方法。
【請求項２】
搬送方向に沿った長さが相互に等しい未加硫ゴムシートと樹脂フィルムを用い、搬送方向でみて、前記樹脂フィルムの先行端縁を前記未加硫ゴムシートの先行端縁に対して搬送方向の下流側にずらすとともに、前記樹脂フィルムの後行端縁を前記未加硫ゴムシートの後行端縁に対して搬送方向の下流側にずらすことにより、前記樹脂フィルム突出部に加えて、未加硫ゴムシートの後行端縁が樹脂フィルムの後行端縁よりも搬送方向の上流側に突出する未加硫ゴムシート突出部を形成する、請求項１に記載の空気入りタイヤの製造方法。
【請求項３】
前記樹脂フィルム突出部を成型ドラムの外周面に先行して保持させるのに先立って、前記シート状積層体の巻付け始端を成型ドラムに接近させる、請求項１又は２に記載の空気入りタイヤの製造方法。
【請求項４】
前記樹脂フィルム突出部を成型ドラムの外周面に先行して保持させた後に、前記シート状積層体を搬送方向の上流側に移動させる、請求項１〜３の何れか一項に記載の空気入りタイヤの製造方法。
【請求項５】
前記突出部を成型ドラムの外周面に先行して保持させてから未加硫ゴムシートの先行端縁が成型ドラムに到達するまでの間は前記シート状積層体の搬送速度を成型ドラムへの該シート状積層体の巻付け速度よりも遅くする、請求項１〜３の何れか一項に記載の空気入りタイヤの製造方法。
【発明の詳細な説明】
【技術分野】
【０００１】
この発明は、未加硫ゴムシートとガスバリア性の樹脂フィルムとを積層してなるシート状積層体を成型ドラムまで搬送し、搬送されたシート状積層体を成型ドラムの外周面に保持させながら、樹脂フィルムが内側となる姿勢で巻付ける工程を含む空気入りタイヤの製造方法に関し、特に、シート状積層体を成型ドラムに容易かつ適正に巻付ける技術を開示するものである。
【背景技術】
【０００２】
空気入りタイヤの内面には、空気漏れを防止し、タイヤ空気圧を一定に保つために、ブチルゴムなどのような低気体透過性のゴムからなるインナーライナが設けられているが、近年では、タイヤの軽量化等を目的として、例えば特許文献１に開示されているように、インナーライナをガスバリア性を有する熱可塑性の樹脂フィルムにて形成することが提案されている。
【０００３】
ところで、平坦な帯状の樹脂フィルムを成型ドラムの外周面に巻付けてインナーライナ素材を形成する場合には、樹脂フィルムを単独で成型ドラムに巻付けることもできるが、樹脂フィルムは厚さが薄く、剛性が低いことから、シワやめくれ等の形態不良が発生し易いという問題がある。このような問題を解決するため、図５（ａ）に示すように、樹脂フィルム３をこれよりも高い剛性を有する未加硫ゴムシート２と重ね合わせてシート状の積層体１００を形成し、形成されたシート状積層体１００を成型ドラム１１まで搬送して、シート状積層体１００の巻付け始端を、成型ドラム１１の外周面に設けられた例えば吸引孔１９により吸着、保持させながら巻付けることにより、樹脂フィルム２の取扱い性の向上を図る技術が提案されている。
【先行技術文献】
【特許文献】
【０００４】
【特許文献１】国際公開第９６／３０２２１号
【発明の概要】
【発明が解決しようとする課題】
【０００５】
しかしながら、このような樹脂フィルム３と未加硫ゴムシート２とのシート状積層体１００はその重量が重いことから、シート状積層体１００の、樹脂フィルム３を内面側とした成型ドラム１１への巻付け開始にあたって、シート状積層体１００の巻付け始端を成型ドラム１１の吸引孔１９にて吸着、保持させるにあたり吸着力が不足し、図５（ｂ）に示すように、シート状積層体１００の巻付け始端が落下したり成型ドラム１１上でシート状積層体１００が蛇行して巻き付けられたりするといった巻付け不良の問題があった。一方で、吸引孔１９の吸引力を強めた場合には吸引孔１９内に樹脂フィルム３が吸い込まれる結果、樹脂フィルム３のシワや破断の原因となる。また、このようなシート状積層体１００は、樹脂フィルム３と未加硫ゴムシート２との剛性差や収縮量の違いにより、図５（ａ）に一部拡大して示すように、シート状積層体１００の巻付け始端が供給コンベア１２の搬送面から大きく浮き上がり、シート状積層体１００の、成型ドラム１１の巻付け開始にあたって成型ドラム１１の吸引孔１９に一致させるべき巻付け始端の位置が、当該吸引孔１９からずれるという問題もあった。
【０００６】
それゆえこの発明は、これらの問題を解消して、インナーライナ素材となる樹脂フィルムと未加硫ゴムシートとのシート状積層体の、樹脂フィルムを内面側とした成型ドラムの外周面上への巻付け開始にあたって、シート状積層体の巻付け始端を、成型ドラムの外周面上の所定の位置に確実に位置決め保持させ、シート状積層体を成型ドラムに容易かつ適正に巻付けることのできる空気入りタイヤの製造方法を提供することを目的とする。
【課題を解決するための手段】
【０００７】
前記課題を解決するため、この発明の空気入りタイヤの製造方法は、未加硫ゴムシートとガスバリア性の樹脂フィルムとを積層してなるシート状積層体を成型ドラムまで搬送し、搬送されたシート状積層体を成型ドラムの外周面に保持させながら、樹脂フィルムが内側となる姿勢で巻付ける工程を含む空気入りタイヤの製造方法において、前記樹脂フィルムを未加硫ゴムシートの表面に貼り付ける際に、搬送方向にみて、前記樹脂フィルムの先行端縁を未加硫ゴムシートの先行端縁よりも搬送方向の下流側に突出させて樹脂フィルム突出部を形成し、前記樹脂フィルム突出部を成型ドラムの外周面に先行して保持させて前記シート状積層体を成型ドラムの外周面に巻付けることを特徴とするものである。
【０００８】
かかる構成の空気入りタイヤの製造方法によれば、シート状積層体の巻付け始端を成型ドラムの外周面に保持させるにあたって、未加硫ゴムシートと比べてはるかに軽量な樹脂フィルムのみからなる樹脂フィルム突出部を先行して保持させることができるので、保持力が不足してシート状積層体が成型ドラム上で蛇行して巻き付けられたり、成型ドラムから落下したりすることがなく、シート状積層体を成型ドラムの外周面に容易かつ適正に巻付けることができる。しかも、成型ドラムに空気を吸引する吸引孔を設け、かかる吸引孔によりシート状積層体を保持するようにした場合でも、その吸引力を必要以上に高める必要がないことから、樹脂フィルムが吸引孔に吸い込まれるおそれもない。しかも、シート状積層体の巻付け始端は樹脂フィルムのみで構成されることから、かかる巻付け始端が搬送面から浮き上がることがなく、シート状積層体の巻付け始端を、成型ドラムの所定の位置に正確に位置決めすることができる。
【０００９】
なお、この発明の空気入りタイヤの製造方法にあっては、搬送方向に沿った長さが相互に等しい未加硫ゴムシートと樹脂フィルムを用い、搬送方向でみて、樹脂フィルムの先行端縁を未加硫ゴムシートの先行端縁に対して搬送方向の下流側にずらすとともに、樹脂フィルムの後行端縁を未加硫ゴムシートの後行端縁に対して搬送方向の下流側にずらすことにより、樹脂フィルム突出部に加えて、未加硫ゴムシートの後行端縁が樹脂フィルムの後行端縁よりも搬送方向の上流側に突出する未加硫ゴムシート突出部を形成することが好ましい。
【００１０】
また、この発明の空気入りタイヤの製造方法にあっては、樹脂フィルム突出部を成型ドラムの外周面に先行して保持させるのに先立って、シート状積層体の巻付け始端を成型ドラムに接近させることが好ましい。
【００１１】
しかも、この発明の空気入りタイヤの製造方法にあっては、樹脂フィルム突出部を成型ドラムの外周面に先行して保持させた後に、シート状積層体を搬送方向の上流側に移動させることが好ましい。又は、樹脂フィルム突出部を成型ドラムの外周面に先行して保持させてから未加硫ゴムシートの先行端縁が成型ドラムに到達するまでの間はシート状積層体の搬送速度を成型ドラムへの該シート状積層体の巻付け速度よりも遅くすることが好ましい。
【発明の効果】
【００１２】
この発明によれば、インナーライナ素材となる樹脂フィルムと未加硫ゴムシートとのシート状積層体の、樹脂フィルムを内面側とした成型ドラムの外周面上への巻付け開始にあたって、積層体の巻付け始端を、成型ドラムの外周面上の所定の位置に確実に位置決め保持させ、シート状積層体を成型ドラムに容易かつ適正に巻付けることができる。
【図面の簡単な説明】
【００１３】
【図１】この発明の実施に用いることができるシート状積層体を例示する斜視図である。
【図２】（ａ）はこの発明の実施に用いることができるタイヤ製造装置の主要部を示す側面図であり、（ｂ）は成型ドラムの斜視図である。
【図３】この発明の実施の形態を説明する工程図である。
【図４】この発明の実施の形態を説明する工程図である。
【図５】従来の空気入りタイヤの製造方法を示した図である。
【発明を実施するための形態】
【００１４】
以下、図１〜４を参照してこの発明の空気入りタイヤの製造方法の一実施形態を説明する。ここに図１は、この発明の実施に用いることができるシート状積層体（以下、単に「積層体」という）を例示する斜視図であり、図２（ａ）は、この発明の実施に用いることができるタイヤ製造装置の主要部を示す側面図であり、（ｂ）は成型ドラムの斜視図である。
【００１５】
図１に示すように、積層体１は、インナーライナ用ゴムシート、スキージゴム用ゴムシート、カーカスプライコードを埋設したゴムシート等とすることができる、ここではブチルゴムからなる未加硫ゴムシート２の表面に、熱可塑性の樹脂フォルム３を貼り付けてなる。樹脂フィルム３は、ガスバリア性を有しインナーライナ素材となるものであり、単層でも積層構造でも良く、その厚さとしては１０〜５００μｍである。ここで図示の積層体１は、樹脂フィルム３と未加硫ゴムシート２の幅を揃える一方で、それら両者の長さ方向の各端縁位置４、５、６、７を、相互にずらした状態で、樹脂フィルム３と未加硫ゴムシート２とを接着剤等を介して貼着されてなる。より具体的には、積層体１の搬送方向Ａにみて、樹脂フィルム３の先行端縁４は未加硫ゴムシート２の先行端縁５よりも搬送方向Ａの下流側に位置するようずれて配置され、積層体１に搬送方向Ａの下流側に所定の距離Ｌ１分突出する樹脂フィルム突出部８が形成されている。また、樹脂フィルム３と未加硫ゴムシート２とは搬送方向Ａに沿った長さが等しく、樹脂フィルム突出部８の搬送方向Ａの反対側には、未加硫ゴムシート２の後行端縁７が樹脂フィルム３の後行端縁６よりも搬送方向Ａの上流側に所定の距離Ｌ２分突出する未加硫ゴムシート突出部９が形成されている。ここでは、Ｌ１とＬ２は等しい。なお、樹脂フィルム３と未加硫ゴムシート２とは幅は揃えなくても良い場合もある。
【００１６】
このような積層体１を形成するとともに円筒形に成形する装置としては図２に例示するタイヤ製造装置１０を用いることができる。この図に示すタイヤ製造装置１０は、成型ドラム１１、供給コンベア１２、樹脂フィルム供給ドラム１３、裏打シート剥離部材１４、裏打シート巻取ドラム１５、押圧ローラ１６、フィルム切断手段１７を備える。
【００１７】
成型ドラム１１は、その外周面に積層体１を吸着するための保持手段としての複数の吸引孔１９が設けられており、吸引孔１９から空気を吸引することにより、積層体１の巻付け始端（ここでは樹脂フィルム突出部８）を成型ドラムの外周面に先行して吸着保持するようにしている。なお、積層体１の巻付け始端を成型ドラム１１に保持させるにあたっては、粘着性のあるゴム部材を成型ドラム１１に配置しておくようにしても良い。
【００１８】
供給コンベア１２は、成型ドラム１１の手前に配置され、その搬送面にて積層体１を平坦姿勢で搬送して成型ドラム１１に引き渡す。供給コンベア１２は、成型ドラム１１に対して近接及び離間方向に変位可能に構成されている。
【００１９】
樹脂フィルム供給ドラム１３は、供給コンベア１２の搬送面に対して上方位置に配置され、供給コンベア１２により搬送される未加硫ゴムシート２に樹脂フィルム３を供給する。なお、樹脂フィルム３は、補強のため裏打シート３ａで裏打されており、この裏打シート３ａは、供給コンベア１２上での未加硫ゴムシート２への貼付けに先立って裏打シート剥離部材１４によって剥離される。裏打シート巻取ドラム１５は、樹脂フィルム３から剥離された裏打シート３ａを巻き取るものである。
【００２０】
また、押圧ローラ１６は、裏打シート３ａが剥離された樹脂フィルム３を未加硫ゴムシート２の表面に押し当ててそれら両部材２、３を相互密着させるためのものである。さらにフィルム切断手段１７は、樹脂フィルム３を予め定めた所定の長さに切断するためのものであり、ナイフエッジ、剪断刃等とすることができる。
【００２１】
以上に述べたような装置１０を用いた積層体１の形成、さらには形成された積層体１の成型ドラム１１の外周面への貼付けにあっては、初めに、樹脂フィルム３は、樹脂フィルム供給ドラム１３から供給コンベア１２の搬送面に向けて送り出される。このとき、樹脂フィルム３に裏打ちされた裏打シート３ａは剥離され裏打シート巻取ドラム１５に巻き取られる。そして、樹脂フィルム３の送出しのタイミングと合わせて、同一の供給コンベア１２により未加硫ゴムシート２を平坦姿勢を保って搬送し、それら両者２、３の先行端縁４、５を所期した通りに調整した状態で、樹脂フィルム３を押圧ローラ１６の押圧作用によって、未加硫ゴムシート２の表面に順次接着させる。
【００２２】
これにより、図１に示したような、搬送方向Ａにみて、樹脂フィルム３の先行端縁４が未加硫ゴムシート２の先行端縁５よりも搬送方向Ａの下流側に突出した樹脂フィルム突出部８が積層体１に形成される。ここで樹脂フィルム突出部８の突出長さＬ１は、図１に拡大して示すように、供給コンベア１２による積層体１の引渡し部位となる先端ローラ１２ａに関する外周長の１／４以上の長さとすることが好ましい。言い換えれば、未加硫ゴムシート２の先行端縁５が先端ローラ１２ａの軸心ｃを通る垂直位置に到達したとき、樹脂フィルム３の先行端縁４が上記軸心ｃを通る水平位置よりも下方に位置するようにすることが好ましい。これによれば、積層体１の巻付け始端の、成型ドラム１１への引渡しを容易かつ確実に行うことができる。
【００２３】
次いで、未加硫ゴムシート２に貼り付けされる樹脂フィルム３の搬送方向Ａに沿う長さが所定の長さ、より具体的には、未加硫ゴムシート２の後行端縁７が樹脂フィルム３の後行端縁６よりも搬送方向Ａの上流側に突出する未加硫ゴムシート突出部９が形成されるようフィルム切断手段１７によってその樹脂フィルム３を切断する。この切断のタイミングと合わせて供給コンベア１２を、それの作動下で図３（ａ）に示すように、搬送方向Ａの下流側に移動させて成型ドラム１１に十分近接変位させる。これにより、図３（ｂ）に示すように、成型ドラム１１の吸引孔１９による吸引力によって積層体１の巻付け始端である樹脂フィルム突出部８が先行して成型ドラム１１の外周面に吸着保持される。
【００２４】
次いで、樹脂フィルム突出部８を成型ドラム１１の吸引孔１９によって先行して吸着させたタイミングに合わせて、供給コンベア１２をそれの作動下で図３（ｃ）に示すように、成型ドラム１１から僅かに離間変位させる。これにより、樹脂フィルム突出部８に一定の張力を与えることができるので、樹脂フィルム突出部８にシワ等を発生させることなく成型ドラム１１の外周面に貼着することができる。そして、供給コンベア１２の、成型ドラム１１への離間姿勢の下で、その成型ドラム１１を供給コンベア１２と等しい周速で回転させることにより、供給コンベア１２上の積層体１を成型ドラムへ１１へと供給し、該積層体１を樹脂フィルム３が内側となる姿勢で成型ドラム１１の外周面上に巻付けることができる。
【００２５】
なお、図３（ｃ）に示したような、樹脂フィルム突出部８を成型ドラム１１の吸引孔１９によって先行して吸着させるタイミングに合わせて供給コンベア１２を成型ドラム１１から離間変位させる手法に代えて、樹脂フィルム３を成型ドラム１１の吸引孔１９によって先行して吸着させてから未加硫ゴムシート２の先行端縁５が成型ドラム１１に到達するまでの間、供給コンベア１２の搬送速度を成型ドラム１１への積層体１の巻付け速度よりも若干遅くして、樹脂フィルム突出部８に張りを与えるようにしても良い。
【００２６】
このようにして、積層体１を成型ドラム１１の外周面に一周にわたって巻付け、巻付けの終了に当たっては、図４に示すように、樹脂フィルム３の先行端縁４と後行端縁６とを突き合わせて接合するとともに、未加硫ゴムシート２の先行端縁５と後行端縁７とを突き合わせ接合する。これによれば、樹脂フィルム３における接合部ａ１と未加硫ゴムシート２における接合部ａ２との周方向位置を相互に異ならせることができるので、製品タイヤの気密性を高めることができる。なお、図示は省略するが、樹脂フィルム３の先行端縁４と後行端縁６、及び未加硫ゴムシート２の先行端縁５と後行端縁７をそれぞれ接合するにあたっては各端縁を径方向上下に重ね合わせて接合することもでき、これによれば、製品タイヤの気密性をより高めることができる。
【００２７】
なお、以後の工程は、従来通りであるので、以後の工程は簡単に説明する。成型ドラム１１上にて、積層体１の上にはカーカスプライが巻き付けられ、その両側部分にビードコア及びスティフナー又はビードフィラーが取り付けられる。
【００２８】
その後、カーカスプライの両端部が内側に折り返されて、サイドトレッドが巻き付けられる。その後、他の成型ドラム（セカンドドラム）に移し変え、内部に空気を充填するとともに両端部分を互いに接近させて中央部分にベルト及びトレッドを巻き付け、生タイヤを完成させる。この生タイヤは、その後、従来通り加硫モールドに装填され所定温度、圧力下で加硫されて製品タイヤとなる。
【００２９】
かかる構成の空気入りタイヤの製造方法によれば、積層体１の巻付け始端を成型ドラム１１の吸引孔１９にて吸着、保持させるにあたって、未加硫ゴムシート２と比べてはるかに軽量な樹脂フィルム３のみからなる樹脂フィルム突出部８を先行して吸引孔１９に確実に吸着させることができるので、吸引孔１９による吸引力が不足して積層体１が成型ドラム１１上で蛇行して巻き付けられたり、成型ドラム１１から落下したりすることがなく、積層体１を成型ドラム１１の外周面に容易かつ適正に巻付けることができる。しかも、吸引孔１９による吸引力を必要以上に高める必要がないことから、樹脂フィルム３が吸引孔１９に吸い込まれるおそれもない。しかも、積層体１の巻付け始端は樹脂フィルム３のみで構成されることから、かかる巻付け始端が供給コンベア１２の搬送面から浮き上がることがなく、積層体１の巻付け始端を、成型ドラム１１の所定の位置に正確に位置決め配置することができる。
【００３０】
また、この実施形態の空気入りタイヤの製造方法によれば、搬送方向Ａに沿った長さが相互に等しい未加硫ゴムシート２と樹脂フィルム３を用い、搬送方向Ａでみて、樹脂フィルム３の先行端縁４を未加硫ゴムシート２の先行端縁５に対して搬送方向Ａの下流側にずらすとともに、樹脂フィルム３の後行端縁６を未加硫ゴムシート２の後行端縁７に対して搬送方向の下流側にずらすことにより、樹脂フィルム突出部８に加えて、未加硫ゴムシート２の後行端縁７が樹脂フィルム３の後行端縁６よりも搬送方向Ａの上流側に突出する未加硫ゴムシート突出部９を積層体１に形成したことから、積層体１の成型ドラム１１の巻終わりにあたって、樹脂フィルム３における接合部ａ１と、未加硫ゴムシート２における接合部ａ２との周方向位置を異ならせることができて、製品タイヤの気密性を高めることができる。
【００３１】
さらに、この実施形態の空気入りタイヤの製造方法によれば、樹脂フィルム突出部８を成型ドラム１１の吸引孔１９によって先行して吸着させるのに先立って、供給コンベア１２を成型ドラム１１に対して近接移動させて、積層体１の樹脂フィルム突出部８を成型ドラム１１の吸引孔１９に接近させる構成としたことから、積層体１の巻付け始端を成型ドラム１１の吸引孔１９まで確実に導くことができて、積層体１の巻付け始端の、成型ドラム１１への引渡しを確実に行うことができる。
【００３２】
しかも、この実施形態の空気入りタイヤの製造方法によれば、樹脂フィルム突出部８を成型ドラム１１の吸引孔１９によって先行して吸着させたタイミングに合わせて積層体１を搬送方向Ａの上流側に移動させることから、積層体１の樹脂フィルム突出部８に張りを与えて巻付け時に当該樹脂フィルム突出部８にシワが発生するのを防止でき、仮にシワが発生した場合にはそのシワを伸して解消することができる。
【００３３】
あるいは、樹脂フィルム突出部８を成型ドラム１１の吸引孔１９によって先行して吸着させてから未加硫ゴムシート２の先行端縁５が成型ドラム１１に到達するまでの間、積層体１の搬送速度を該積層体１の成型ドラム１１への巻付け速度（周速）よりも遅くするようにしても良く、これによれば、供給コンベア１２を離間変位させることなく、上記同様、樹脂フィルム突出部８にシワが発生するのを防止したり、発生したシワを解消したりすることができる。
【００３４】
ところで、以上に述べたところにおいて、樹脂フィルム３の樹脂材料は、エチレン−ビニルアルコール共重合体を反応させて得られる変性エチレン−ビニルアルコール共重合体からなるマトリックス中に、２３℃におけるヤング率が前記変性エチレン−ビニルアルコール共重合体より小さい柔軟樹脂を分散させた樹脂組成物からなる層を少なくとも含むものとすることが好ましく、また、前記樹脂組成物からなる層に隣接して、更にエラストマーからなる補助層を一層以上具えるものとすること、前記樹脂組成物からなる層の厚さを１００μｍ以下とすること、および、前記樹脂組成物からなる層と補助層との間、及び前記補助層と補助層との間の少なくとも一箇所に、一層以上の接着剤層を具えるものとすることが好ましい。
【００３５】
また、樹脂フィルム３を未加硫ゴムシート２に貼着するための接着剤としては、ゴム成分１００質量部に対し、分子中に反応部位を二つ以上有するマレイミド誘導体及びポリ―p―ジニトロソベンゼンの少なくとも一種を０．１質量部以上配合した接着剤組成物を用いることが好ましい。
【産業上の利用可能性】
【００３６】
かくしてこの発明により、インナーライナ素材となる樹脂フィルムと未加硫ゴムシートとのシート状積層体の、樹脂フィルムを内面側とした成型ドラムの外周面上への巻付け開始にあたって、シート状積層体の巻付け始端を、成型ドラムの外周面上の所定の位置に確実に位置決め保持させ、シート状積層体を成型ドラムに容易かつ適正に巻付けることが可能となった。
【符号の説明】
【００３７】
１  シート状積層体
２  未加硫ゴムシート
３  樹脂フィルム
４  樹脂フィルムの先行端縁
５  未加硫ゴムシートの先行端縁
６  樹脂フィルムの後行端縁
７  未加硫ゴムシートの後行端縁
８  樹脂フィルム突出部
９  未加硫ゴムシート突出部
１０  タイヤ製造装置
１１  成型ドラム
１２  供給コンベア
１３  樹脂フィルム供給ドラム
１４  裏打シート剥離部材
１５  裏打シート巻取ドラム
１６  押圧ローラ
１７  フィルム切断手段
１９  吸引孔
【図１】
2011046073.tif 000003
【図２】
2011046073.tif 000004
【図３】
2011046073.tif 000005
【図４】
2011046073.tif 000006
【図５】
2011046073.tif 000007